(57)【要約】【課題】  一次教材の種類が多くデータ量が膨大になった場合でも、目的の教材データの迅速な検索及び検索漏れを回避して的確な教材データの検索を可能にするとともに、検索の容易性及び良好な使い勝手を実現する。【解決手段】  各一次教材に対応した専用目次データＳａ，Ｓｂ…及び各一次教材に対して共通に用いることができる普遍目次データＵを有するとともに、専用目次データＳａ…を用いて対応する各一次教材に係わるデータベースＤａ…から指定した検索条件により所定の教材データＴ…を検索する第一検索機能Ｆｓ及び普遍目次データＵを用いて少なくとも二以上の一次教材に係わるデータベースＤａ…から指定した検索条件により所定の教材データＴ…を検索する第二検索機能Ｆｕを有するデータ検索手段Ｗｓを備える。【選択図】  図１
2006003642.tif 000002
【特許請求の範囲】
【請求項１】
複数の一次教材に係わるデータベースを保有するとともに、少なくとも前記データベースから所定の教材データを検索する検索機能及び検索した教材データに基づいて二次教材を作成する二次教材作成機能を備えるコンピュータシステムを用いた教材作成装置において、各一次教材に対応した第一の目次データ（専用目次データ）及び各一次教材に対して共通に用いることができる第二の目次データ（普遍目次データ）を有するとともに、前記専用目次データを用いて対応する各一次教材に係わるデータベースから指定した検索条件により所定の教材データを検索する第一検索機能及び前記普遍目次データを用いて少なくとも二以上の一次教材に係わるデータベースから指定した検索条件により所定の教材データを検索する第二検索機能を有するデータ検索手段を備えることを特徴とする教材作成装置。
【請求項２】
前記一次教材には、少なくとも既存の紙媒体を用いた、入試問題，問題集，参考書，教科書の二以上を含むことを特徴とする請求項１記載の教材作成装置。
【請求項３】
前記データ検索手段は、少なくとも前記専用目次データを、前記紙媒体と同じ形態により前記コンピュータシステムのディスプレイに表示する目次データ表示機能を備えることを特徴とする請求項２記載の教材作成装置。
【請求項４】
前記検索条件には、前記教材データに対して分類した、少なくとも、科目，テーマ，難易度，キーワード，追加条件の一又は二以上を含むことを特徴とする請求項１記載の教材作成装置。
【請求項５】
前記データ検索手段は、検索した教材データに対して類似する教材データを、指定した検索条件により前記データベースから検索する類問検索機能を備えることを特徴とする請求項１記載の教材作成装置。
【請求項６】
前記データ検索手段は、検索した教材データに対して、少なくとも、科目，テーマ，難易度，キーワード，追加条件の一又は二以上に対応した関連情報を表示する関連情報表示機能を備えることを特徴とする請求項１記載の教材作成装置。
【請求項７】
前記データベースには、変更した教材データ及び／又は独自に作成した教材データを保有するユーザデータベースを含むことを特徴とする請求項１記載の教材作成装置。
【請求項８】
変更した教材データ及び／又は独自に作成した教材データを、前記ユーザデータベースとして登録するユーザデータベース登録機能を備えることを特徴とする請求項７記載の教材作成装置。
【請求項９】
複数の一次教材に係わるデータベースを保有するとともに、少なくとも前記データベースから所定の教材データを検索する検索機能及び検索した教材データに基づいて二次教材を作成する二次教材作成機能を備えるコンピュータシステムを用いた教材作成装置において、少なくとも、問題文，解答，解説文の一又は二以上を含む前記教材データにより作成した前記二次教材に対して、前記問題文，前記解答，前記解説文の一又は二以上を選択して出力する二次教材出力手段を備えることを特徴とする教材作成装置。
【請求項１０】
複数の一次教材に係わるデータベースを保有するとともに、少なくとも前記データベースから所定の教材データを検索する検索処理及び検索した教材データに基づいて二次教材を作成する二次教材作成処理を実行するコンピュータプログラムを格納した教材作成プログラム記録媒体において、各一次教材に対応した第一の目次データ（専用目次データ）及び各一次教材に対して共通に用いることができる第二の目次データ（普遍目次データ）を有するとともに、前記専用目次データを用いて対応する各一次教材に係わるデータベースから指定した検索条件により所定の教材データを検索する第一検索処理及び前記普遍目次データを用いて少なくとも二以上の一次教材に係わるデータベースから指定した検索条件により所定の教材データを検索する第二検索処理を実行するコンピュータプログラムを格納してなることを特徴とする教材作成プログラム記録媒体。
【請求項１１】
前記一次教材には、少なくとも既存の紙媒体を用いた、入試問題，問題集，参考書，教科書の二以上を含むことを特徴とする請求項１０記載の教材作成プログラム記録媒体。
【請求項１２】
前記コンピュータプログラムには、少なくとも前記専用目次データを、前記紙媒体と同じ形態により前記コンピュータシステムのディスプレイに表示する目次データ表示処理プログラムを含むことを特徴とする請求項１１記載の教材作成プログラム記録媒体。
【請求項１３】
前記検索条件には、前記教材データに対して分類した、少なくとも、科目，テーマ，難易度，キーワード，追加条件の一又は二以上を含むことを特徴とする請求項１０記載の教材作成プログラム記録媒体。
【請求項１４】
複数の一次教材を種類毎に分け、分けた一次教材にそれぞれ対応させた複数の記録媒体部を備え、前記記録媒体部に、各記録媒体部に対応する一次教材に係わる前記専用目次データと前記普遍目次データを格納するとともに、コンピュータプログラムには、各記録媒体部に格納したコンピュータプログラムを単独で使用する際には前記専用目次データのみを有効にし、かつ二以上の記録媒体部に係わるコンピュータプログラムを組合わせて使用する際には前記専用目次データ及び前記普遍目次データを有効にする規制処理プログラムを含むことを特徴とする請求項１０記載の教材作成プログラム記録媒体。
【請求項１５】
前記コンピュータプログラムには、検索した教材データに対して類似する教材データを、指定した検索条件により前記データベースから検索する類問検索処理プログラムを含むことを特徴とする請求項１０記載の教材作成プログラム記録媒体。
【請求項１６】
変更した教材データ及び／又は独自に作成した教材データを、前記データベースに含むユーザデータベースとして登録するユーザデータベース登録処理プログラムを含むことを特徴とする請求項１０記載の教材作成プログラム記録媒体。
【請求項１７】
前記コンピュータプログラムには、検索した教材データに対して、少なくとも、科目，テーマ，難易度，キーワード，追加条件の一又は二以上に対応した関連情報を表示する情報表示処理プログラムを含むことを特徴とする請求項１０記載の教材作成プログラム記録媒体。
【請求項１８】
複数の一次教材に係わるデータベースを保有するとともに、少なくとも前記データベースから所定の教材データを検索する検索処理及び検索した教材データに基づいて二次教材を作成する二次教材作成処理を実行するコンピュータプログラムを格納した教材作成プログラム記録媒体において、前記コンピュータプログラムには、少なくとも、問題文，解答，解説文の一又は二以上を含む前記教材データにより作成した前記二次教材に対して、前記問題文，前記解答，前記解説文の一又は二以上を選択して出力する二次教材出力処理プログラムを格納してなることを特徴とする教材作成プログラム記録媒体。
【発明の詳細な説明】
【技術分野】
【０００１】
本発明は、複数の一次教材に係わるデータベースから二次教材を作成する際に用いて好適な教材作成装置及び教材作成プログラム記録媒体に関する。
【背景技術】
【０００２】
一般に、学校教育現場では、教科書をはじめ各種問題集等の教材（一次教材）を用いて教科指導が行われているが、これらの一次教材は画一的であり、地域性や個々の生徒の資質等は考慮されていない。また、教師による記述や教授手法（指導方法）なども千差万別である。したがって、より効果的かつ効率的に教授を行うには、一次教材のみでは不十分であり、通常、教師は、独自に編集したプリント等の教材（二次教材）を補完的に用いる場合も少なくない。
【０００３】
この場合、教師は、実際に教科指導に用いている教科書や問題集等の一次教材以外の他の一次教材を含めて二次教材を作成する場合も多いが、他の一次教材については、実際に教科指導に用いている教科書や問題集等との関連性を考慮することが重要になる。また、二次教材の作成に利用する一次教材は、多ければ多いほど二次教材の質を高める上で望ましいが、反面、探し出す作業や内容の関連性及び難易度等の検討作業に大変な労力と時間が費やされる。他方、この種の二次教材は、基本的には毎年同じものを繰り返して使用できるが、例えば、大学入試対策等の指導に用いる二次教材は、一部の問題を新しい入試問題に入れ替えて使用する場合も多い。
【０００４】
そこで、本出願人は、このような二次教材を作成する際に用いて好適なプリント教材作成装置を、既に、特開２０００−１４７９８８号公報により提案した。このプリント教材作成装置は、演習問題記憶部と、演習問題管理部と、検索条件設定部と、検索条件記憶部と、検索条件に一致する検索データを演習問題管理部から抽出し、該当演習問題を検索し、結果を表示する検索部と、検索結果から所望の演習問題を選択する演習問題選択部と、演習問題選択時に検索条件を記録した一時ファイルを作成し、ファイル名を記憶する選択演習問題情報記憶部と、類題検索する演習問題を指定し、関係する一時ファイル名を選択演習問題情報記憶部から読出し、ファイルに記録された検索条件を検索条件記憶部に記憶させる類題検索始動部と、選択された演習問題の内容と検索条件を記録したプリントファイルを作成するプリント教材ファイル作成部を備えたものであり、これにより、コンピュータを用いて、教材プリント中の各演習問題に対する類題を検索して選択し、迅速、簡単に類題を差し替え又は追加することができる。
【特許文献１】特開２０００−１４７９８８号
【発明の開示】
【発明が解決しようとする課題】
【０００５】
しかし、上述したプリント教材作成装置は、より望ましい検索を実現する観点から解決すべき課題も残されていた。
【０００６】
第一に、一次教材の種類や量が多くなった場合、目的の教材データを迅速に検索できない。特に、一次教材は、入試問題，問題集，参考書，教科書等のように種類が多く、しかもデータ量も膨大になるため、用途等を考慮して複数の記録媒体に分散させて作成する場合も少なくない。この場合、各一次教材に係わるデータベース毎に検索する必要があるなど、迅速な検索を実現する観点から改善の余地があった。
【０００７】
第二に、種類や量が多くなった一次教材に対して、検索漏れを回避し、かつ的確な教材データを検索する観点からも改善の余地があった。例えば、入試問題から検索した問題に対して他の一次教材から類似問題（類問）を検索する場合、類似性の判断等が容易でなく、検索漏れを回避して的確な教材データの検索を実現する観点からも十分とは言えない。
【０００８】
第三に、検索の容易性及び良好な使い勝手を得る観点からも十分とは言えない。例えば、参考書や問題集等の書籍を既に所有している状態で検索する場合と所有していない状態で検索する場合、それぞれの実情に適した検索モードを選択できれば、より望ましいが、検索モードが限られていたため、検索の容易性及び良好な使い勝手を実現する観点からも改善の余地があった。
【０００９】
本発明は、このような背景技術に存在する課題を解決した教材作成装置及び教材作成プログラム記録媒体の提供を目的とするものである。
【課題を解決するための手段】
【００１０】
本発明に係る教材作成装置１は、複数の一次教材に係わるデータベースＤａ，Ｄｂ，Ｄｃ，Ｄｄを保有するとともに、少なくともデータベースＤａ…から所定の教材データＴ…を検索する検索機能及び検索した教材データＴ…に基づいて二次教材Ｐを作成する二次教材作成機能を備えるコンピュータシステム１０を用いた教材作成装置を構成するに際して、各一次教材に対応した第一の目次データ（専用目次データ）Ｓａ，Ｓｂ，Ｓｃ，Ｓｄ及び各一次教材に対して共通に用いることができる第二の目次データ（普遍目次データ）Ｕを有するとともに、専用目次データＳａ…を用いて対応する各一次教材に係わるデータベースＤａ…から指定した検索条件により所定の教材データＴ…を検索する第一検索機能Ｆｓ及び普遍目次データＵを用いて少なくとも二以上の一次教材に係わるデータベースＤａ…から指定した検索条件により所定の教材データＴ…を検索する第二検索機能Ｆｕを有するデータ検索手段Ｗｓを備えることを特徴とする。
【００１１】
この場合、発明の好適な態様により、一次教材には、少なくとも、既存の紙媒体を用いた、入試問題，問題集，参考書，教科書の二以上を含ませることができるとともに、検索条件には、教材データＴ…に対して分類した、少なくとも、科目，テーマ，難易度，キーワード，追加条件の一又は二以上を含ませることができる。また、データ検索手段Ｗｓには、少なくとも専用目次データＳａ…を紙媒体と同じ形態によりコンピュータシステム１０のディスプレイ１１に表示する目次データ表示機能Ｆｄ、検索した教材データＴに対して類似する教材データＴ…を、指定した検索条件によりデータベースＤａ…から検索する類問検索機能Ｆｅ、検索した教材データＴに対して、少なくとも、科目，テーマ，難易度，キーワード，追加条件の一又は二以上に対応した関連情報を表示する関連情報表示機能Ｆｃを備えることができる。さらに、データベースＤａ…には、変更した教材データＴ…及び／又は独自に作成した教材データＴ…を保有するユーザデータベースＤａｍ，Ｄｂｍ…を含ませることができるとともに、この変更した教材データＴ…及び／又は独自に作成した教材データＴ…を、ユーザデータベースＤａｍ…として登録するユーザデータベース登録機能Ｆｍを備えることができる。
【００１２】
加えて、本発明に係る教材作成装置１は、複数の一次教材に係わるデータベースＤａ，Ｄｂ，Ｄｃ，Ｄｄを保有するとともに、少なくともデータベースＤａ…から所定の教材データＴ…を検索する検索機能及び検索した教材データＴ…に基づいて二次教材Ｐを作成する二次教材作成機能を備えるコンピュータシステム１０を用いた教材作成装置を構成するに際して、少なくとも、問題文，解答，解説文の一又は二以上を含む教材データＴ…により作成した二次教材Ｐに対して、問題文，解答，解説文の一又は二以上を選択して出力する二次教材出力手段Ｗｏを備えることを特徴とする。
【００１３】
一方、本発明に係る教材作成プログラム記録媒体２は、複数の一次教材に係わるデータベースＤａ，Ｄｂ，Ｄｃ，Ｄｄを保有するとともに、少なくともデータベースＤａ…から所定の教材データＴ…を検索する検索処理及び検索した教材データＴ…に基づいて二次教材Ｐを作成する二次教材作成処理を実行するコンピュータプログラムを格納した記録媒体であって、各一次教材に対応した第一の目次データ（専用目次データ）Ｓａ，Ｓｂ，Ｓｃ，Ｓｄ及び各一次教材に対して共通に用いることができる第二の目次データ（普遍目次データ）Ｕを有するとともに、専用目次データＳａ…を用いて対応する各一次教材に係わるデータベースＤａ…から指定した検索条件により所定の教材データＴ…を検索する第一検索処理及び普遍目次データＵを用いて少なくとも二以上の一次教材に係わるデータベースＤａ…から指定した検索条件により所定の教材データＴ…を検索する第二検索処理を実行するコンピュータプログラムを格納してなることを特徴とする。
【００１４】
この場合、発明の好適な態様により、一次教材には、少なくとも、既存の紙媒体を用いた、入試問題，問題集，参考書，教科書の二以上を含ませることができるとともに、検索条件には、教材データＴ…に対して分類した、少なくとも、科目，テーマ，難易度，キーワード，追加条件の一又は二以上を含ませることができる。また、記録媒体２は、複数の一次教材を種類毎に分け、分けた一次教材にそれぞれ対応させた複数の記録媒体部２ａ，２ｂ…を備え、記録媒体部２ａ…に、各記録媒体部２ａ…に対応する一次教材に係わる専用目次データＳａ…と普遍目次データＵを格納するとともに、コンピュータプログラムには、各記録媒体部２ａ…に格納したコンピュータプログラムを単独で使用する際には専用目次データＳａ…のみを有効にし、かつ二以上の記録媒体部２ａ…に係わるコンピュータプログラムを組合わせて使用する際には専用目次データＳａ…及び普遍目次データＵを有効にする規制処理プログラムを含ませることができる。さらに、コンピュータプログラムには、少なくとも専用目次データＳａ…を、紙媒体と同じ形態によりコンピュータシステム１０のディスプレイ１１に表示する目次データ表示処理プログラム、検索した教材データＴに対して類似する教材データＴ…を、指定した検索条件によりデータベースＤａ…から検索する類問検索処理プログラム、検索した教材データＴに対して、少なくとも、科目，テーマ，難易度，キーワード，追加条件の一又は二以上に対応した関連情報を表示する情報表示処理プログラム、変更した教材データＴ…及び／又は独自に作成した教材データＴ…を、データベースＤａ，Ｄｂ…に含むユーザデータベースＤａｍ，Ｄｂｍ…として登録するユーザデータベース登録処理プログラムを含ませることができる。
【００１５】
また、本発明に係る教材作成プログラム記録媒体２は、複数の一次教材に係わるデータベースＤａ，Ｄｂ，Ｄｃ，Ｄｄを保有するとともに、少なくともデータベースＤａ…から所定の教材データＴ…を検索する検索処理及び検索した教材データＴ…に基づいて二次教材Ｐを作成する二次教材作成処理を実行するコンピュータプログラムを格納した記録媒体であって、少なくとも、問題文，解答，解説文の一又は二以上を含む教材データＴ…により作成した二次教材Ｐに対して、問題文，解答，解説文の一又は二以上を選択して出力する二次教材出力処理プログラムを格納してなることを特徴とする。
【発明の効果】
【００１６】
このような構成を有する本発明に係る教材作成装置１及び教材作成プログラム記録媒体２によれば、次のような顕著な効果を奏する。
【００１７】
（１）  各一次教材に対応した専用目次データＳａ…を用いて検索する第一検索機能及び各一次教材に対して共通に用いることができる普遍目次データＵを用いて検索する第二検索機能を有するため、一次教材の種類が多く、しかもデータ量が膨大になった場合であっても、目的の教材データＴ…を迅速に検索できるとともに、検索漏れを回避して的確な教材データＴ…を検索でき、しかも、ユーザは実情に適した検索モードを選択できるため、検索の容易性及び良好な使い勝手を実現できる。
【００１８】
（２）  少なくとも、問題文，解答，解説文の一又は二以上を含む教材データＴ…により作成した二次教材Ｐに対して、問題文，解答，解説文の一又は二以上を選択して出力するようにしたため、二次教材Ｐ（プリント）を作成する際の効率性や変更容易性の向上を図れるとともに、生徒の理解状況等に応じたプリント等を臨機応変に作成できる。
【００１９】
（３）  好適な態様により、一次教材に、少なくとも、既存の紙媒体を用いた、入試問題，問題集，参考書，教科書の二以上を含ませたり、検索条件に、教材データＴ…に対して分類した、少なくとも、科目，テーマ，難易度，キーワード，追加条件の一又は二以上を含ませることにより、多様性に富んだ情報の中から的確な情報を収集できる。
【００２０】
（４）  好適な態様により、少なくとも専用目次データＳａ…を、紙媒体と同じ形態によりコンピュータシステム１０のディスプレイ１１に表示すれば、見易さ等において書籍等の紙媒体と同様の感覚により利用できる。
【００２１】
（５）  好適な態様により、検索した教材データＴに対して類似する教材データＴ…を、指定した検索条件によりデータベースＤａ…から検索する類問検索機能を設ければ、類似性の判断等が容易でない類問であっても全てのデータベースＤａ…から容易かつ的確に検索できる。
【００２２】
（６）  好適な態様により、検索した教材データＴに対して、少なくとも、科目，テーマ，難易度，キーワード，追加条件の一又は二以上に対応した関連情報を表示する関連情報表示機能を設ければ、検索した教材データＴに対する関連情報を容易に知ることができる。この結果、例えば、他の一次教材に対して追加的な検索を行うべきかどうかの判断の参考にできるなど、より利便性を高めることができる。
【００２３】
（７）  好適な態様により、データベースＤａ…に、変更した教材データＴ…及び／又は独自に作成した教材データＴ…を保有するユーザデータベースＤａｍ，Ｄｂｍ…を含ませるとともに、この変更した教材データＴ…及び／又は独自に作成した教材データＴ…を、ユーザデータベースＤａｍ…として登録するユーザデータベース登録機能Ｆｍを設ければ、ユーザの実情に合うようにカスタマイズした教材データＴ…やオリジナルの教材データＴ…も本来のデータベースＤａ…と同様に利用でき、ユーザに適したより望ましい二次教材を容易に作成できる。
【発明を実施するための最良の形態】
【００２４】
次に、本発明に係る最良の実施形態を挙げ、図面に基づき詳細に説明する。
【００２５】
まず、本実施形態に係る教材作成装置１のハードウェア構成について、図２を参照して説明する。
【００２６】
図２において、１は教材作成装置の全体を示すブロック構成図であり、基本的には、汎用性を有するコンピュータシステム（ハードウェア）１０と、このコンピュータシステム１０にインストールするアプリケーションソフトウェアであるコンピュータプログラム（教材作成プログラム）を格納した教材作成プログラム記録媒体２からなる。
【００２７】
コンピュータシステム１０は、コンピュータ本体１２を備え、このコンピュータ本体１２には、コンピュータプログラム（データを含む）を記憶する記憶部１３を内蔵する。また、コンピュータ本体１２の入出力ポートには、キーボード１４，マウス１５等の入力装置を接続するとともに、二次教材を作成する際に検索指定画面等を表示するディスプレイ１１，作成した二次教材をプリントアウトするプリンタ１６，必要に応じて、例えば英語の発音等を音声出力させることができるスピーカ１７等の出力装置を接続する。さらに、コンピュータ本体１２の入出力ポートには、教材作成プログラム記録媒体２を構成するＣＤ−ＲＯＭ（記録媒体部）２ａ，２ｂ…の読込みを行うＣＤ−ＲＯＭドライブ１８を接続する。加えて、コンピュータ本体１２の入出力ポートには、各種メディアに対する入出力を行うメディアドライブ１９を接続することができるとともに、通信ポート２０を介してインターネット等のネットワーク２１に接続することができる。なお、各種メディアには、ＣＤ，ＤＶＤ，ＩＣカード，メモリチップ，フロッピィディスク等の各種メディア（外部メモリ）が含まれる。
【００２８】
一方、教材作成プログラム記録媒体２は、既存の紙媒体を用いた複数の一次教材を種類毎に分け、分けた一次教材にそれぞれ対応させた複数のＣＤ−ＲＯＭ（記録媒体部）２ａ，２ｂ…により構成する。この場合、一次教材には、少なくとも、入試問題，問題集，参考書，教科書の二以上が含まれる。例示の実施形態は、入試問題版，問題集版，参考書版，教科書版の四枚のＣＤ−ＲＯＭ２ａ，２ｂ…により構成する。
【００２９】
したがって、各ＣＤ−ＲＯＭ２ａ，２ｂ…は、入試問題，問題集，参考書，教科書に係わるデータベースＤａ，Ｄｂ，Ｄｃ，Ｄｄをそれぞれ保有するとともに、教材作成装置１を機能させる基本のコンピュータプログラム、即ち、少なくともデータベースＤａ…から所定の教材データＴ…を検索する検索処理及び検索した教材データＴ…に基づいて二次教材Ｐを作成する二次教材作成処理を実行するコンピュータプログラム（アプリケーションソフトウェア）を格納する。このため、各ＣＤ−ＲＯＭ２ａ，２ｂ…のコンピュータプログラムをインストールしたコンピュータシステム１０は、データベースＤａ…から所定の教材データＴ…を検索する検索機能及び検索した教材データＴ…に基づいて二次教材Ｐを作成する二次教材作成機能を備えることになる。
【００３０】
また、コンピュータプログラムは、各一次教材に対応した第一の目次データ（専用目次データ）Ｓａ，Ｓｂ，Ｓｃ，Ｓｄ及び各一次教材に対して共通に用いることができる第二の目次データ（普遍目次データ）Ｕを有するとともに、専用目次データＳａ…を用いて対応する各一次教材に係わるデータベースＤａ…から指定した検索条件により所定の教材データＴ…を検索する第一検索処理及び普遍目次データＵを用いて少なくとも二以上の一次教材に係わるデータベースＤａ…から指定した検索条件により所定の教材データＴ…を検索する第二検索処理を実行するコンピュータプログラムを有する。この場合、種類毎に分けた各一次教材に係わる専用目次データＳａ…は、それぞれ対応する各ＣＤ−ＲＯＭ２ａ，２ｂ…に格納するとともに、共通に用いることができる普遍目次データＵ…は、全てのＣＤ−ＲＯＭ２ａ，２ｂ…にそれぞれ格納する。
【００３１】
この際、コンピュータプログラムには、各ＣＤ−ＲＯＭ２ａ…に格納したコンピュータプログラムを単独で使用する際には専用目次データＳａ…のみを有効にし、かつ二以上のＣＤ−ＲＯＭ２ａ，２ｂ…に係わるコンピュータプログラムを組合わせて使用する際には専用目次データＳａ…及び普遍目次データＵの双方を有効にする規制処理プログラムが含まれる。したがって、図３に示すように、専用目次データＳａ…は、各一次教材に対してのみ適用できる専用目次となるため、例えば、教科書に係わる専用目次データＳｄを用いた場合、教科書に係わるデータベースＤｄに対する検索はできるが、入試問題に係わるデータベースＤａに対する検索はできない。これに対して、普遍目次データＵは、全ての一次教材に共通に用いる普遍的（一般的）な目次データとなるため、入試問題，問題集，参考書，教科書に係わる全てのデータベースＤａ，Ｄｂ，Ｄｃ及びＤｄに対して検索できる。したがって、後に追加する異なる他の一次教材に対しても検索できることを意味する。
【００３２】
さらに、コンピュータプログラムには、少なくとも専用目次データＳａ…を、紙媒体と同じ形態によりコンピュータシステム１０のディスプレイ１１に表示する目次データ表示処理プログラム、検索した教材データＴ…に対して類似する教材データＴ…を、指定した検索条件によりデータベースＤａ…から検索する類問検索処理プログラム、検索した教材データＴ…に対して、科目，テーマ，難易度，キーワード，追加条件に対応した関連情報を表示する情報表示処理プログラム、問題文，解答，解説文の一又は二以上を含む教材データＴ…により作成した二次教材Ｐに対して、問題文，解答，解説文の一又は二以上を選択して出力する二次教材出力処理プログラムが含まれる。なお、教材データＴ…は、科目，テーマ，難易度，キーワード，追加条件（例えば、入試大学名等）の中で分類されている。このように、一次教材に、既存の紙媒体を用いた、入試問題，問題集，参考書，教科書を含ませたり、検索条件に、教材データＴ…に対して分類した、科目，テーマ，難易度，キーワード，追加条件を含ませることにより、多様性に富んだ情報の中から的確な情報を収集できる。
【００３３】
したがって、各ＣＤ−ＲＯＭ２ａ，２ｂ…のコンピュータプログラムをインストールしたコンピュータシステム１０は、専用目次データＳａ…を用いて対応する各一次教材に係わるデータベースＤａ…から指定した検索条件により所定の教材データＴ…を検索する第一検索機能Ｆｓ及び普遍目次データＵを用いて少なくとも二以上の一次教材に係わるデータベースＤａ…から指定した検索条件により所定の教材データＴ…を検索する第二検索機能Ｆｕを有するデータ検索手段Ｗｓを備えるとともに、少なくとも専用目次データＳａ…を紙媒体と同じ形態によりディスプレイ１１に表示する目次データ表示機能Ｆｄ、検索した教材データＴ…に対して類似する教材データＴ…を、指定した検索条件によりデータベースＤａ…から検索する類問検索機能Ｆｅ、検索した教材データＴ…に対して、科目，テーマ，難易度，キーワード，追加条件に対応した関連情報を表示する関連情報表示機能Ｆｃ、さらに、問題文，解答，解説文の一又は二以上を含む教材データＴ…により作成した二次教材Ｐに対して、問題文，解答，解説文の一又は二以上を選択して出力する二次教材出力手段Ｗｏを備えることになる。
【００３４】
次に、本実施形態に係る教材作成装置１の使用方法及び動作（機能）について、図１〜図１０を参照して説明する。
【００３５】
まず、コンピュータシステム１０には、教材作成プログラム記録媒体２のコンピュータプログラム（教材作成プログラム）をインストールする。例示の場合、四枚のＣＤ−ＲＯＭ２ａ，２ｂ…からインストールを行う。これにより、インストールされたコンピュータプログラム（データを含む）は、記憶部１３のプログラムエリアに格納される。
【００３６】
図１は、教材作成装置１の検索機能に着目した機能ブロック図を示す。図１中、Ｄａ，Ｄｂ，Ｄｃ，Ｄｄは、入試問題，問題集，参考書，教科書に係わるデータベースをそれぞれ示すとともに、Ｓａ，Ｓｂ，Ｓｃ，Ｓｄは、入試問題，問題集，参考書，教科書に対応した専用目次データをそれぞれ示す。また、Ｕは、入試問題，問題集，参考書及び教科書に対して共通に用いることができる普遍目次データを示す。さらに、Ｃｕａ，Ｃｕｂ，Ｃｕｃ，Ｃｕｄは普遍管理情報（データ）、Ｃｓａ，Ｃｓｂ，Ｃｓｃ，Ｃｓｄは、入試問題，問題集，参考書，教科書に対応した専用管理情報（データ）である。なお、これらのデータベースＤａ…、目次データＵ，Ｓａ…、普遍管理情報Ｃｕａ…、専用管理情報Ｃｓａ…は、前述した記憶部１３における対応する各データエリアに格納される。
【００３７】
一方、ソフトウェアを立ち上げることにより、図４に示すトップ画面（スタートメニュー）Ｖｏが表示されるため、このトップ画面Ｖｏから条件指定画面をウィンドウ表示することができる（ステップＳ１）。そして、この条件指定画面から普遍目次データＵを利用した普遍目次による検索を行うか専用目次データＳａ…を利用した専用目次により検索を行うか選択できる。今、入試問題に係わる専用目次を選択した場合を想定する（ステップＳ２）。これにより、図４に示すように、トップ画面Ｖｏ上には、検索画面Ｖ１が、目次データ表示機能Ｆｄにより紙媒体の書籍と同じ形態によりウィンドウ表示される（ステップＳ３）。このような形態で表示されることにより、ユーザは見易さ等において書籍等の紙媒体と同様の感覚で利用できる。
【００３８】
次いで、検索画面Ｖ１を用いて検索条件を指定する（ステップＳ４）。この場合、検索画面Ｖ１には、科目タグ３１，テーマタグ３２，難易度タグ３３，キーワードタグ３４，追加条件タグ３５が表示されるため、選択したタグ３１…をクリックすることにより指定することができる。図４は、テーマタグ３２を指定した場合を示している。これにより、テーマに基づく入試問題の専用目次が表示されるため、検索する項目（単元）の表示をクリックすれば、指定された項目に選択マーク３７が表示されるとともに、このときの検索条件は、記憶部１３における検索条件エリアに保存される（ステップＳ４）。
【００３９】
そして、所定の開始機能キーをクリックすれば、指定された検索条件に一致する検索データが専用管理情報データＣｓａから検索されるとともに、対応する演習問題データ（教材データ）Ｔ…が入試問題に係わるデータベースＤａから読み出される（ステップＳ５）。この検索結果は、図５に示す検索結果画面Ｖ２により表示される（ステップＳ６）。検索結果画面Ｖ２は、左側のデータウィンドウＶ２１と右側の関連情報ウィンドウＶ２２からなる。データウィンドウＶ２１は、さらに、上側の一覧表示ウィンドウＶ２１ｕと下側の内容表示ウィンドウＶ２１ｄからなる。この場合、一覧表示ウィンドウＶ２１ｕには、検索された一又は二以上の演習問題のタイトルが一覧表示されるため、内容を確認したいタイトルをクリックすることにより、問題文と解答の詳細が内容表示ウィンドウＶ２１ｄに表示される。また、解説表示キーをクリックすることにより対応する解説文を解答の下に表示させることができる。
【００４０】
一方、関連情報ウィンドウＶ２２には、選択したタイトルの演習問題（教材データＴ）に係わる関連情報、具体的には、テーマ，単元，科目，難易度，キーワード，出典等の関連情報が関連情報表示機能Ｆｃにより表示される。これにより、選択した演習問題に対する関連情報を容易に知ることができ、例えば、他の一次教材（問題集，参考書，教科書）に対する追加的な検索を行うべきかどうかの判断の参考にできるなど、より利便性を高めることができる。
【００４１】
そして、表示された演習問題（教材データＴ）の内容を確認し、二次教材の作成に使用する場合には、一覧表示ウィンドウＶ２１ｕにおける各タイトルの前に表示されたチェックボックス４１をクリックし、チェックマークを入れることにより選択できる（ステップＳ７）。この結果、選択された演習問題と指定した検索条件により二次教材ファイルが作成され、ファイル名と共に記憶部１３における選択問題情報エリアに記憶される（ステップＳ８）。さらに、二次教材の作成に使用する次の演習問題が一覧表示ウィンドウＶ２１ｕにあれば、同様の操作により選択を行う（ステップＳ９，Ｓ７）。これにより、選択された演習問題が二次教材ファイルに追加される（ステップＳ８）。一方、他の検索条件により検索する場合には、条件指定画面に戻り、他の検索条件を選択すればよい（ステップＳ１０）。これにより、二次教材の作成に使用する演習問題を同様に選択することができ、選択した演習問題は二次教材ファイルに追加される。
【００４２】
ところで、本実施形態では、専用目次データＳａ…を用いて対応するデータベースＤａ…から所定の教材データＴ…を検索する第一検索機能Ｆｓに加えて、普遍目次データＵを用いて全体のデータベースＤａ…から所定の教材データＴ…を検索する第二検索機能Ｆｕを備えるため、この場合、普遍目次データＵを用いた普遍目次による検索条件を選択することもできる（ステップＳ１１）。
【００４３】
次に、普遍目次を用いた検索及び関連情報ウィンドウＶ２２の利用方法について説明する。普遍目次は、全てのデータベースＤａ，Ｄｂ，Ｄｃ，Ｄｄに対して横断的な検索を行うため、勿論、最初から普遍目次を用いた検索も可能であるが、例えば、最初に専用目次を利用して検索を行ったときなどにおいては、関連情報ウィンドウＶ２２に表示される関連情報を利用して普遍目次を用いた検索を行うべきかどうかの判断を行うこともできる（ステップＳ２０）。
【００４４】
この関連情報ウィンドウＶ２２の利用方法について、図６に示すフローチャートを参照して説明する。今、関連情報ウィンドウＶ２２に、選択した演習問題の関連情報が表示されているものとする（ステップＳ２１）。関連情報ウィンドウＶ２２の上側には、図５に示すように、専用目次で検索した関連情報であることを示す専用検索キーＫ４５と普遍目次で検索した情関連情報であることを示す全体検索キーＫ４６が表示される。そして、入試問題に係わる専用目次により検索した場合には、専用検索キーＫ４５が対応する入試問題の表示と共にＯＮ表示となり、関連情報ウィンドウＶ２２には、入試問題の専用目次により検索された演習問題に係わる関連情報が表示される。一方、この状態において、全てのデータベースＤａ，Ｄｂ，Ｄｃ，Ｄｄから対応するテーマ，単元，科目，難易度，キーワード，出典等に係わる全体の関連情報を表示させることができる。まず、全体検索キーＫ４６をクリックする（ステップＳ２２，Ｓ２３，Ｓ２４）。これにより、全体検索キーＫ４６がＯＮ表示となり、全てのデータベースＤａ，Ｄｂ，Ｄｃ，Ｄｄに対して検索処理が行われ、検索結果は、関連情報ウィンドウＶ２２に表示される（ステップＳ２５，Ｓ２６）。
【００４５】
これにより、全体の関連情報を参考にして、全てのデータベースＤａ，Ｄｂ，Ｄｃ，Ｄｄに対して検索すべきかどうかの判断を行うことができる。この際、二次教材の作成に使用したい演習問題が、他のデータベースＤｂ…にある場合には、検索指定画面に戻り、普遍目次を利用した検索を行うことができる。この場合、普遍目次による検索も基本的には専用目次による検索と同様の操作により行うことができるとともに、検索結果から使用したい演習問題を選択することにより、選択した演習問題が二次教材ファイルに追加される（ステップＳ１１，Ｓ３…）。また、普遍目次により検索を行った際には、普遍目次により検索した全体の関連情報が関連情報ウィンドウＶ２２に表示される（ステップＳ２１，Ｓ２２，Ｓ２７）。この場合、全体検索キーＫ４６はＯＮ表示となり、専用検索キーＫ４５には、選択された演習問題に係わる紙媒体名が表示、例えば、「中学数学」（教科書）等の表示が行われる（ステップＳ２８）。したがって、この状態において、専用検索キーＫ４５をクリックすれば、「中学数学」に係わるテーマ，単元，科目，難易度，キーワード，出典等の関連情報を関連情報ウィンドウＶ２２に表示させることができる。即ち、専用検索キーＫ４５のクリックにより専用検索キーＫ４５がＯＮ表示となり、教科書に係わるデータベースＤａに対する検索処理が行われるとともに、検索結果が関連情報ウィンドウＶ２２に表示される（ステップＳ２９，Ｓ３０，Ｓ３１，Ｓ３２）。
【００４６】
他方、他の検索条件として類問検索機能Ｆｅを利用することにより類似の問題を検索（類問検索）することができる（ステップＳ４０）。この類問検索方法について、図７に示すフローチャートを参照して説明する。図８は、類問検索機能に着目した機能ブロック図を示す。また、図９は、類問検索を行う際の類問検索画面Ｖ３を示す。なお、図９は、既に選択した演習問題がプリント用紙上にレイアウトされる場合のレイアウト画面Ｖｏｐに、類問検索画面Ｖ３がウィンドウ表示された状態を示している。
【００４７】
類問検索を行う際には、まず、レイアウト画面Ｖｏｐから類問検索の前提となる演習問題を指定する（ステップＳ４１）。この場合、レイアウト画面Ｖｏｐに表示されている、演習問題（例えば、問１）の表示部分をクリックすることにより、当該表示部分に網掛等のマーキングが行われ、選択されたことが表示される。次いで、メニューバーから類問検索を選択すれば、類問検索画面Ｖ３が表示される。そして、類問検索画面Ｖ３において検索条件を指定する（ステップＳ４２）。この際、検索条件として、検索範囲を選択することができる。
【００４８】
これにより、図８に示すように、指定した演習問題（問１）に対する類問検索指令Ｘｒが出力し、演習問題を類問検索（アクセス）するための管理情報が情報管理部５１により特定される（ステップＳ４３）。次いで、類問検索のための検索条件が管理情報データＣｕから検索され、記憶部１３の検索条件エリアに保存されるとともに、当該検索条件による類問が各データベースＤａ…から読み出される（ステップＳ４４，Ｓ４５）。そして、検索結果は、前述した図５に示す検索結果画面Ｖ２により表示される（ステップＳ４６）。即ち、一覧表示ウィンドウＶ２１ｕに、検索された一又は二以上の類問のタイトルが一覧表示されるため、内容を確認したいタイトルをクリックすれば、選択したタイトルの類問に係わる問題文と解答の詳細が内容表示ウィンドウＶ２１ｄに表示される。また、解説表示キーを選択すれば、解答の下側に解説文を表示させることができる。一方、表示された演習問題（教材データＴ）を確認し、二次教材の作成に使用する場合には、一覧表示ウィンドウＶ２１ｕにおける各タイトルの前に表示されたチェックボックス４１をクリックし、チェックマークを入れることにより選択でき、対応する二次教材ファイルに追加される（ステップＳ４７，Ｓ４８）。さらに、二次教材の作成に使用する次の類問が一覧表示ウィンドウＶ２１ｕにあれば、同様の操作により選択を行う（ステップＳ４９，Ｓ４７）。これにより、選択された類問が二次教材ファイルに追加される（ステップＳ４８）。このような類問検索機能Ｆｅを用いることにより、類似性の判断等が容易でない類問であっても全てのデータベースＤａ…から容易かつ的確に検索できる。
【００４９】
以上の操作（処理）により演習問題の検索が終了するため、この後、プリントアウトする際の各種レイアウト処理を行うことができる。そして、作成された二次教材Ｐは、二次教材出力手段Ｗｏにより、例えば、生徒に配布するプリントとして出力させることができる。図１０は、プリントアウトする際の印刷画面Ｖ４を示す。なお、図１０は、レイアウト画面Ｖｏｐに、印刷画面Ｖ４がウィンドウ表示された状態を示している。印刷画面Ｖ４では、印刷条件を設定できる。印刷条件としては、特に、問題文，解答，解説文の一又は二以上を含む教材データＴ…により作成した二次教材Ｐに対して、問題文，解答，解説文の一又は二以上を選択して印刷できる。この際、二次教材Ｐの作成段階において、解説文は選択的に使用されるため、既に作成されている二次教材Ｐの状態が優先される。
【００５０】
この場合、問題文，解答，解説文の選択は、印刷画面Ｖ４に表示される各種印刷パターンＥ１…を指定して行うことができる。例えば、二次教材Ｐの作成段階において、問題文，解答，解説文の全てが使用されている場合には、図１０に示すように、解説文のみを印刷する第一印刷パターンＥ１、問題文，解答，解説文の全てを印刷する第二印刷パターンＥ２、解説文を除いた問題文と解答を印刷する第三印刷パターンＥ３、解答を除いた問題文と解説文を印刷する第四印刷パターンＥ４、問題文のみを印刷する第五印刷パターンＥ５を、対応するチェックボックスをクリックし、チェックマークを入れることにより選択できる。このような各種印刷パターンＥ１…を自由に選択できることにより、例えば、実際の定期テストや実力テストとして作成する場合には問題文のみを印刷したテストペーパーとして作成できるとともに、その後、答案を返却する際には解答を載せた添付ペーパーとして作成できる。このような添付ペーパーを付けた場合には、解説を教師が行うことができる。これに対して、教師は解説を省略し、生徒自身に復習させることができるように解説文を載せた添付ペーパーを作成することもできるなど、臨機応変かつ容易に作成することができる。なお、印刷する問題文，解答，解説文の選択は、必ずしも印刷時に行う必要はなく、予め設定画面により設定しても勿論よい。
【００５１】
よって、このような本実施形態に係る教材作成装置１によれば、各一次教材に対応した専用目次データＳａ…を用いて検索する第一検索機能及び各一次教材に対して共通に用いることができる普遍目次データＵを用いて検索する第二検索機能を有するため、一次教材の種類が多く、しかもデータ量が膨大になった場合であっても、目的の教材データＴ…を迅速に検索できるとともに、検索漏れを回避して的確な教材データＴ…を検索でき、しかも、ユーザは実情に適した検索モードを選択できるため、検索の容易性及び良好な使い勝手を実現できる。また、二次教材出力手段Ｗｏを備えることにより、二次教材Ｐ（プリント）を作成する際の効率性や変更容易性の向上を図ることができるとともに、生徒の理解状況等に応じたプリント等を臨機応変に作成できる。
【００５２】
他方、図１１には、変更実施形態に係る教材作成装置１の機能ブロック図を示す。変更実施形態に係る教材作成装置１は、データベースＤａ…に、変更した教材データＴ…及び／又は独自に作成した教材データＴ…を保有するユーザデータベースＤａｍ，Ｄｂｍ…を含ませるとともに、この変更した教材データＴ…及び／又は独自に作成した教材データＴ…を、ユーザデータベースＤａｍ…として登録するユーザデータベース登録機能Ｆｍを設けたものである。したがって、教材作成プログラム記録媒体２に格納するコンピュータプログラムには、変更した教材データＴ…及び／又は独自に作成した教材データＴ…を、データベースＤａ，Ｄｂ…に含むユーザデータベースＤａｍ，Ｄｂｍ…として登録するユーザデータベース登録処理プログラムが含まれる。
【００５３】
教材の場合、既存の教材データＴ…をそのまま利用しても、必ずしも生徒等の実情に適しているとは言えない場合もあり、既存の教材データＴ…の一部を変更して利用する場合も少なくない。例えば、書籍と全く同じ問題になることを避けたり或いは計算を複雑にするために計算式の数値を部分的に変更する場合、幾つかある小問のうち難易度の高い（低い）問題或いは未学習の問題を削除する場合、出題形式（選択形式，記述形式等）を変更する場合などがある。このため、上述した図１〜図１０に示した基本形態の教材作成装置１においても問題内容編集機能を備えることにより、二次教材の作成時に、使用する教材データＴ…に対して各種編集（変更）を行えるようにしている。
【００５４】
変更実施形態に備えるユーザデータベース登録機能Ｆｍは、このような問題内容編集機能により編集した問題（教材データＴ…）を、単なる二次教材の作成時における編集として終わらせることなく、ユーザデータベースＤａｍ，Ｄｂｍ…として登録することにより、既登録のデータベースＤａ…と同様に利用できるようにしたものである。
【００５５】
図１１において、Ｄａｍは、入試問題に係わるユーザデータベースを示すとともに、Ｃｍａは、このユーザデータベースＤａｍに対応した専用管理情報（データ）を示す。この場合、ユーザデータベースＤａｍは、対応するデータベースＤａとは記憶エリアが異なるもデータベースＤａの一部と見做すことができる。なお、問題集，参考書，教科書に係わるデータベースＤｂ…に対しても、それぞれ同様のユーザデータベースＤｂｍ…及び専用管理情報Ｃｍｂ…を備えている。一方、Ｃｍｕは全てのユーザデータベースＤａｍ…に対応する普遍管理情報（データ）である。
【００５６】
また、ユーザデータベース登録機能Ｆｍは、次のように機能する。今、図９に示すレイアウト画面Ｖｏｐにおいて、所定の問題（教材データＴ）を編集（変更）した場合を想定する。変更終了後、ユーザデータベースＤａｍ…として登録する場合には、まず、対応するメニューを選択してユーザデータベース登録画面をウィンドウ表示させる。次いで、ユーザデータベース登録画面からユーザ登録を選択して図４に示す検索画面Ｖ１と同様の目次画面を表示させる。そして、表示された目次から追加したい項目（分類）を各タグ３１…毎に指定し、さらに、作成者，タイトルを入力する。この後、「登録」をクリックするれば、変更した問題（教材データＴ）がユーザデータベースＤａｍ…として登録される。この例では、変更した教材データＴをユーザデータベースＤａｍ…に登録する場合を示したが、独自に作成したオリジナルの教材データＴであっても同様にユーザデータベースＤａｍ…として登録することができる。
【００５７】
このようなユーザデータベースＤａｍ…及びユーザデータベース登録機能Ｆｍを追加することにより、各ユーザデータベースＤａｍ…に対しても前述した各データベースＤａ…に対する検索と同様の検索が可能になるなど、同様の取り扱いを行うことができる。したがって、検索時には、データベースＤａ…に対する検索と同時にユーザデータベースＤａｍ…に対する検索も行われ、一覧表示ウィンドウＶ２１ｕには、データベースＤａ…に対する検索結果と一緒にユーザデータベースＤａｍ…に対する検索結果も表示される。よって、ユーザの実情に合うようにカスタマイズした教材データＴ…やオリジナルの教材データＴ…も本来のデータベースＤａ…と同様に利用でき、ユーザに適したより望ましい二次教材を容易に作成できる。
【００５８】
以上、最良の実施形態について詳細に説明したが、本発明は、このような実施形態に限定されるものではなく、細部の構成，形状，数量，手法等において、本発明の要旨を逸脱しない範囲で、任意に変更，追加，削除することができる。
【００５９】
例えば、一次教材として、既存の紙媒体である、入試問題，問題集，参考書，教科書を用いた場合を例示したが、これらの二以上を用いれば足りるとともに、他の任意の一次教材を利用できる。したがって、紙媒体以外の任意の媒体（ＣＤ，ＤＶＤ，ＩＣカード，メモリチップ，フロッピィディスク，インターネットからのダウンロード等）も利用できる。また、検索条件として、科目，テーマ，難易度，キーワード，追加条件を例示したが、これらは、一又は二以上の任意の組合わせにより利用できるとともに、他の任意の検索条件を適用できる。一方、目次データ表示機能Ｆｄは、専用目次データＳａ…に適用した場合を示したが、普遍目次データＵに適用してもよい。さらに、二次教材出力手段Ｗｏとして、プリンタ１６によりプリントアウトする場合を示したが、ＣＤ，ＤＶＤ，ＩＣカード，メモリチップ，フロッピィディスク，インターネットによる配布や配信も可能であり、他の任意の出力媒体を利用できる。他方、教材作成装置１は、汎用性を有するコンピュータシステム１０と教材作成プログラム記録媒体２を用いた場合を示したが、教材作成プログラム記録媒体２のコンピュータプログラムを製造段階でコンピュータシステムに組込んだ専用装置として構成しても勿論よい。また、各記録媒体部２ａ…をそれぞれ単独で使用する場合、専用目次データＳａ…のみが有効となるが、この場合、普遍目次データＵについて、完全に伏せた状態にしてもよいし、情報として内容表示だけ行ってもよい。
【図面の簡単な説明】
【００６０】
【図１】本発明の最良の実施形態に係る教材作成装置及び教材作成プログラム記録媒体の検索機能に着目した機能ブロック図、
【図２】同教材作成装置の全体及び教材作成プログラム記録媒体を示すブロック構成図、
【図３】同教材作成装置の検索手順を説明するためのフローチャート、
【図４】同教材作成装置の目次データ表示機能により表示される検索画面図、
【図５】同教材作成装置のデータ検索手段により表示される検索結果画面図、
【図６】同教材作成装置の関連情報利用手順を説明するためのフローチャート、
【図７】同教材作成装置の類問検索手順を説明するためのフローチャート、
【図８】同教材作成装置の類問検索機能に着目した機能ブロック図、
【図９】同教材作成装置の類問検索機能により表示される類問検索画面図、
【図１０】同教材作成装置の二次教材出力手段により表示される印刷画面図、
【図１１】本発明の変更実施形態に係る教材作成装置のユーザデータベース登録機能に着目した機能ブロック図、
【符号の説明】
【００６１】
１      教材作成装置
２      教材作成プログラム記録媒体
２ａ…  記録媒体部
１０    コンピュータシステム
１１    ディスプレイ
Ｄａ…  データベース
Ｄａｍ…  ユーザデータベース
Ｔ…    教材データ
Ｐ      二次教材
Ｓａ…  第一の目次データ（専用目次データ）
Ｕ      第二の目次データ（普遍目次データ）
Ｗｓ    データ検索手段
Ｗｏ    二次教材出力手段
Ｆｓ    第一検索機能
Ｆｕ    第二検索機能
Ｆｄ    目次データ表示機能
Ｆｅ    類問検索機能
Ｆｃ    関連情報表示機能
Ｆｍ    ユーザデータベース登録機能
【図１】
2006003642.tif 000003
【図２】
2006003642.tif 000004
【図３】
2006003642.tif 000005
【図４】
2006003642.tif 000006
【図５】
2006003642.tif 000007
【図６】
2006003642.tif 000008
【図７】
2006003642.tif 000009
【図８】
2006003642.tif 000010
【図９】
2006003642.tif 000011
【図１０】
2006003642.tif 000012
【図１１】
2006003642.tif 000013